(57)【要約】【課題】作業空間が制限された場合における建設副産物の搬送積込み作業を、低コストで、且つ、効率良く行う。【解決手段】バックホー３等の積込み手段により、地下階で発生する建設副産物は、スラブに設けられた開口部を貫通する、一対のガイドレールからなる垂直搬送路１Ｖの基礎上で待機する箱体２に積込まれる。次に、建設副産物を積載した箱体２は、モーター等の駆動手段により垂直搬送路１Ｖから水平搬送路１Ｈを介して、ダンプカー４等の他の搬送手段が待機する地上階へ移動する。箱体２は、地上階のダンプカー４が待機する位置まで移動すると、箱体２底部に設けられた開閉扉が機械的に開かれ、箱体２内の建設副産物がダンプカー４へ投下される。建設副産物の投下が完了すると、箱体２底部の開閉扉は再び機械的に閉じられ、箱体２は、水平搬送路１Ｈから垂直搬送路１Ｖを介して、バックホー３が稼動している位置へ戻る。【選択図】            図１
2004331373.tif 000002
【特許請求の範囲】
【請求項１】
底部に開閉扉を有する箱体と、当該箱体を搬送するための垂直搬送路と、当該箱体を搬送するための水平搬送路とを備える建設副産物の搬送積込み装置を使用する建設副産物の搬送積込み方法であって、
底部に開閉扉を有する前記箱体に、積込み手段を用いて建設副産物を第一の位置で積込み、前記箱体を第一の位置から第二の位置へ前記搬送路を介して搬送し、当該第二の位置において、前記箱体の底部に設けられた開閉扉を開閉することにより前記箱体内の建設副産物が他の搬送手段に積込まれることを特徴とする建設副産物の搬送積込み方法。
【請求項２】
前記建設副産物の搬送積込み装置を、対向若しくは並列して配置し、当該建設副産物の搬送積込み装置が協働して建設副産物を他の搬送手段に積込むことを特徴とする請求項１に記載の建設副産物の搬送積込み方法。
【請求項３】
前記積込み手段が、建設副産物の落下を防止するために外周に立ち上がり部を設けたコンベアと、当該コンベアを前後に移動させる台とを備える自走式の台車であることを特徴とする請求項１又は請求項２に記載の建設副産物の搬送積込み方法。
【請求項４】
底部に開閉扉を有する箱体と、当該箱体を搬送するための垂直搬送路と、当該箱体を搬送するための水平搬送路とを備える建設副産物の搬送積込み装置において、
前記搬送路が無端状の循環搬送路であることを特徴とする建設副産物の搬送積込み装置。
【請求項５】
無端状の前記循環搬送路に、底部に開閉扉を有する前記箱体が複数台備えられていることを特徴とする請求項４に記載の建設副産物の搬送積込み装置。
【請求項６】
底部に開閉扉を有する箱体と、当該箱体を搬送するための垂直搬送路と、当該箱体を搬送するための水平搬送路とを備える建設副産物の搬送積込み装置において、
底部に開閉扉を有する前記箱体が前記搬送路に着脱可能であることを特徴とする建設副産物の搬送積込み装置。
【請求項７】
底部に開閉扉を有する箱体と、当該箱体を搬送するための垂直搬送路と、当該箱体を搬送するための水平搬送路とを備える建設副産物の搬送積込み装置において、
前記搬送路に搬送路部材を挿入して前記搬送路を延長することを特徴とする建設副産物の搬送積込み装置。
【発明の詳細な説明】
【０００１】
【発明の属する技術分野】
本発明は、建設副産物の搬送積込み方法およびその実施に使用する搬送積込み装置に関する。
【０００２】
【従来の技術】
建設工事における揚土作業は、バックホーやクラムシェルなどの建設機械あるいは垂直ベルトコンベア等の連続揚土装置を使って行われている。なかでも、垂直ベルトコンベア等の連続揚土装置は掘削土砂を大量に搬送することが可能である。特許文献１では、掘削土砂を垂直搬送するベルトコンベアの改良が施されている。また、特許文献２では、揚重作業と揚土作業を行えるように、クレーンとクラムシェルを支持枠体上に取り付けた装置が示されている。
一方、コンクリートガラなどの建設廃棄物の垂直搬送は、モッコや底開きバケットを用いて行われている。
【０００３】
建築工事では、工期の短縮を図るため、１階の床工事を最初に行い、その後、地下工事と地上工事を並行して行う逆打ち工法が採用されることがある。この逆打ち工法において地下工事で発生する掘削土や建設廃棄物を搬出する場合、地下工事と地上工事を並行して行う関係上、地上階の躯体、特に上階の梁や床スラブによって建設機械の上方作業空間が制限されることになる。また、百貨店等の地下改修工事や免震レトロフィット工事においては、営業を行いながらの工事を余儀なくされる場合があるため、一つの階の限られた領域しか作業領域として確保できないことがある。このような空頭制限下では、建設機械による作業は大きな制約を受け、掘削土や建設廃棄物などの建設副産物の搬出作業能率は大きく低下する。このような状況に対して、特許文献３では、揚重機のキャタピラの両側に着脱自在な増重ブロックを取り付けることで、比較的小型の揚重機でも安定して揚土・揚重が可能になることが示されている。
【０００４】
一方、特許文献４では、収納ボックスの底部に設けられた開閉扉を、機械手段によって所望の特定位置で確実に自動閉塞でき、収容物を特定位置以外に落下させることなく好適に排出できる搬送装置が示されている。
【０００５】
【特許文献１】
特開平５−１５５４１４号公報（第２−３頁、第２図）
【特許文献２】
特開平７−９７１８９号公報（第２−５頁、第１図）
【特許文献３】
特開平１１−１１７３５２号公報（第３−４頁、第１図）
【特許文献４】
特開２００１−２１３５２５号公報（第４−９頁、第３図）
【０００６】
【発明が解決しようとする課題】
特許文献３に記載された発明は、小型の揚重機を使用することを前提としているため、搬送積込み能率が低いうえ、小型揚重機を多数使用する必要が生じ、コストが嵩むものとなる。
本発明は、上述する問題点に鑑みてなされたもので、作業空間が制限された場合における建設副産物の搬送積込み作業を、低コストで、且つ、効率良く行うことを目的とする。
【０００７】
【課題を解決するための手段】
前記目的を達成するため、本発明に係る建設副産物の搬送積込み方法では、底部に開閉扉を有する箱体と、当該箱体を搬送するための垂直搬送路と、当該箱体を搬送するための水平搬送路とを備える建設副産物の搬送積込み装置を使用し、底部に開閉扉を有する前記箱体に、積込み手段を用いて建設副産物を第一の位置で積込み、前記箱体を第一の位置から第二の位置へ前記搬送路を介して搬送し、当該第二の位置において、前記箱体の底部に設けられた開閉扉を開閉することにより前記箱体内の建設副産物が他の搬送手段に積込まれることを特徴とする。
ここで、建設副産物は、掘削土およびコンクリートガラ等の建設廃棄物の総称であり、搬送路は、ガイドレールなどのように一定の軌道を有するとともに、部材を継ぎ足すことにより軌道を延長することができるものをいう。
また、積込み手段には、バックホーやフォークリフト等の建設機械および後述する積込み装置を使用し、他の搬送手段には、ダンプカー等の搬送車両あるいは他の建設副産物の搬送積込み装置を使用する。
本発明によれば、垂直搬送路および水平搬送路を介して、建設副産物を積載した箱体を搬送するため、作業空間が限られている場合においても、建設副産物の搬送積込み作業を効率良く行うことができる。また、箱体の底部に開閉扉が設けられているため、箱体を逆さにひっくり返すことなく、箱体の底部の開口から建設副産物をダンプカー等の他の搬送手段に積込むことができる。さらに、建設副産物の搬送積込み装置が低価格であり、コスト削減に寄与することができる。
あるいは、本発明に係る建設副産物の搬送積込み方法では、底部に開閉扉を有する前記箱体と、当該箱体を搬送するための垂直搬送路と、当該箱体を搬送するための水平搬送路とを備える建設副産物の搬送積込み装置を、対向若しくは並列して配置し、当該搬送積込み装置が協働して建設副産物を他の搬送手段に積込んでもよい。
本発明によれば、対向若しくは並列して配置した搬送積込み装置を使用して建設副産物を他の搬送手段に協働して積込むため、作業能率が向上する。
また、本発明に係る建設副産物の搬送積込み方法では、前記積込み手段が、建設副産物の落下を防止するために外周に立ち上がり部を設けたコンベアと、当該コンベアを前後に移動させる台とを備える自走式の台車であってもよい。以下、当該自走式の台車を積込み装置と呼ぶ。
建設副産物が発生する地点から搬送路が設置されている地点まで距離が離れている場合、バックホー等による建設副産物の積込み作業能率は低下する。しかし、本発明によれば、バックホー等で前記積込み装置に建設副産物を積込んだ後、前記積込み装置が、搬送路が設置されている地点まで自走し、当該搬送路を介して移動する箱体に建設副産物を積込むので作業能率が向上する。
また、前記搬送路は、無端状の循環搬送路であってもよい。この際、無端状の前記循環搬送路には、底部に開閉扉を有する前記箱体が複数台備えられていることが好ましい。
本発明によれば、無端状の循環搬送路に前記箱体を複数台備えることにより、建設副産物の積込み作業および搬送・搬出作業を並行して行うことができる。
また、底部に開閉扉を有する前記箱体は、前記搬送路に着脱可能であってもよい。この場合には、フォークリフト等を用いて前記箱体の移動・着脱を行う。
また、前記建設副産物の搬送積込み装置は、前記搬送路に搬送路部材を挿入して前記搬送路を延長できるものであってもよい。
本発明によれば、現場の状況に合わせて搬送路を延長することができるため、本発明に係る建設副産物の搬送積込み方法および搬送積込み装置の適用範囲を拡大することができる。
【０００８】
【発明の実施の形態】
以下、本発明の実施形態を図面を参照して説明する。
図１は、地下階で発生する建設副産物を地上階へ搬出する作業を、本発明に係る建設副産物の搬送積込み方法によって行う場合の第一実施形態を示したものである。この図に示すように、本実施形態による建設副産物の搬送積込み方法では、底部に開閉扉を有する箱体２と、箱体２を搬送するための垂直搬送路１Ｖと、箱体２を搬送するための水平搬送路１Ｈとを備えた建設副産物の搬送積込み装置２１を使用する。
図１（ａ）に示すように、バックホー３等の積込み手段により、地下階で発生する建設副産物は、スラブに設けられた開口部を貫通する、一対のガイドレールからなる垂直搬送路１Ｖの基礎上で待機する箱体２に積込まれる。次に、図１（ｂ）に示すように、建設副産物を積載した箱体２は、モーター等の駆動手段により垂直搬送路１Ｖから水平搬送路１Ｈを介して、ダンプカー４等の他の搬送手段が待機する地上階へ移動する。ここで、水平搬送路１Ｈを支持する支柱間の距離は、当該支柱間にダンプカー等が停止できる距離を確保する必要がある。箱体２は、地上階のダンプカー４が待機する位置まで移動すると、箱体２に設けられた延設部が、水平搬送路１Ｈ上又は水平搬送路１Ｈに係合する部材上に設けられた第一係止部材に当接することにより、箱体２底部に設けられた開閉扉が機械的に開かれ、箱体２内の建設副産物がダンプカー４へ投下される。その後、箱体２に設けられた延設部が、水平搬送路１Ｈ上又は水平搬送路１Ｈに係合する部材上に設けられた第二係止部材に当接することにより、箱体２底部の開閉扉は機械的に閉じられ、箱体２は、水平搬送路１Ｈから垂直搬送路１Ｖを介して、バックホー３が稼動している位置へ戻るものである。
本実施形態による建設副産物の搬送積込み方法では、垂直搬送路１Ｖおよび水平搬送路１Ｈを介して、建設副産物を積載した箱体２を搬送するため、作業空間が限られている場合においても、建設副産物の搬送積込み作業を効率良く行うことができる。また、箱体２の底部に開閉扉が設けられているため、箱体２を逆さにひっくり返すことなく、箱体２の底部の開口から建設副産物をダンプカー４等の他の搬送手段に積込むことができる。さらに、建設副産物の搬送積込み装置２１が低価格であり、コスト削減に寄与することができる。
【０００９】
次に、本発明の他の実施形態について説明する。なお、以降の図においても、建設副産物の搬送積込み方法の第一実施形態と同一の構成要素には同一の符号を用いて説明を省略する。
図２は、本発明に係る建設副産物の搬送積込み方法の第二実施形態を示すもので、図１と同様に、地下階で発生する建設副産物を地上階へ搬出する作業を示したものであるが、建設副産物が発生する地点と搬送路が設置されている地点とが離れている場合を想定している。この図に示すように、本実施形態による建設副産物の搬送積込み方法では、底部に開閉扉を有する第一箱体２ａおよび第二箱体２ｂと、第一箱体２ａおよび第二箱体２ｂを所定位置から別の所定位置へ循環搬送する無端状の搬送路５とを備えた建設副産物の搬送積込み装置２２と、積込み装置６とを使用する。
図２（ａ）に示すように、建設副産物が発生する地下階では、バックホー３が建設副産物を積込み装置６に積込む。建設副産物を積載した積込み装置６は、建設副産物が発生する地点から循環搬送路５が設置されている地点まで自走し、循環搬送路５に備えられた第一箱体２ａに建設副産物を積込む。一方、循環搬送路５上の建設副産物を積載した第二箱体２ｂは、循環搬送路５を介して、地上階のダンプカー４が待機している地点まで移動する。次に、図２（ｂ）に示すように、建設副産物を積載した第一箱体２ａは、循環搬送路５を介して、地上階のダンプカー４が待機している地点まで移動する。一方、建設副産物を積載した第二箱体２ｂは、ダンプカー４の頭上で、第二箱体２ｂ底部の開閉扉を機械的に開閉して建設副産物をダンプカー４に投下した後、循環搬送路５を介して、地下階のバックホー３が稼動している地点まで移動する。
本実施形態による建設副産物の搬送積込み方法では、無端状の循環搬送路５を介して移動する第一箱体２ａと第二箱体２ｂとを利用することにより、建設副産物の積込み作業および搬送・搬出作業を並行して行うことができる。
あるいは、箱体２ａ、２ｂを循環搬送路５に着脱可能とした場合には、積込み装置６に代えてフォークリフト等を使用して、建設副産物を積載した箱体２ａ、２ｂを移動するとともに、箱体２ａ、２ｂを循環搬送路５に着脱する。
なお、本実施形態では、無端状の循環搬送路５上に箱体２を二台備えているが、さらに多く備えていてもよい。
また、本実施形態においても、第一実施形態と同様に、無端状の循環搬送路５ではなく、箱体２を往復させる搬送路１を適用できることはいうまでもない。
【００１０】
図３は、本発明の第三実施形態を示すものである。この図に示すように、本実施形態による建設副産物の搬送積込み方法では、第一建設副産物搬送積込み装置２３および第二建設副産物搬送積込み装置２４を対向して配置して使用する。
第一建設副産物搬送積込み装置２３では、積込み手段を用いて、第一箱体２ａに建設副産物を積込み、建設副産物を積載した第一箱体２ａは第一搬送路１ａを介して移動し、地上階のダンプカー４に第一箱体２ａ内の建設副産物を投下する。一方、第二建設副産物搬送積込み装置２４も、第一建設副産物搬送積込み装置２３と同様に、積込み手段を用いて、第二箱体２ｂに建設副産物を積込み、建設副産物を積載した第二箱体２ｂは第二搬送路１ｂを介して移動し、地上階のダンプカー４に第二箱体２ｂ内の建設副産物を投下するものである。
本実施形態による建設副産物の搬送積込み方法では、第一建設副産物搬送積込み装置２３および第二建設副産物搬送積込み装置２４を使用して建設副産物を他の搬送手段に協働して積込むため、作業能率の向上が図れる。
なお、本実施形態においても、第二実施形態と同様に、箱体２ａ、２ｂをそれぞれ往復させる搬送路１ａ、１ｂではなく、無端状の循環搬送路５を使用して当該搬送路５上に箱体２を複数台備えていてもよい。
また、箱体２ａ、２ｂを搬送路１ａ、１ｂに各々着脱可能とすることもでき、その場合は、フォークリフト等を使用して、箱体２ａ、２ｂを移動するとともに、箱体２ａ、２ｂを搬送路１ａ、１ｂに着脱する。
【００１１】
図４は、本発明に係る積込み装置を示すものである。本発明に係る積込み装置６は、建設副産物の落下を防止するために外周に立ち上がり部８を設けたコンベア７と、コンベア７を前後に移動させる台１０とを備えた自走式の台車１１である。
先ず、バックホー等により、外周に立ち上がり部８を設けたコンベア７上に建設副産物９が積込まれる。建設副産物９の積載が完了すると、台車１１は、搬送路に備えられた箱体のある位置まで自走する。台車１１が、当該箱体が設置されている位置に到着すると、コンベア７から当該箱体内へ建設副産物９を投下できる位置まで、台１０が前方に移動する。台１０の移動が完了すると、コンベア７が稼動し、コンベア７上の建設副産物９が前記箱体内へ投下される。建設副産物９の前記箱体内への投下が完了すると、コンベア７は稼動停止し、台１０が後方へ移動する。そして、台車１１は、建設副産物９を再び積込むためにバックホー等が稼動している地点に自走する。
建設副産物が発生する地点から搬送路が設置されている地点まで距離が離れている場合、バックホー等による建設副産物の積込み作業の能率は低下する。しかし、本発明に係る積込み装置６によれば、バックホー等で積込み装置６に建設副産物９を積込んだ後、積込み装置６が搬送路が設置されている地点まで自走し、当該搬送路を介して移動する箱体に建設副産物９を積込むので、作業性が向上する。
【００１２】
図５は、搬送路の延長が可能な建設副産物の搬送積込み装置を用いて搬送路を延長する第一の方法を示すものであり、地上階において搬送路部材を挿入するものである。本発明に係る建設副産物の搬送積込み装置２５は、底部に開閉扉を有する箱体２と、箱体２を搬送するための垂直搬送路１Ｖと、箱体２を搬送するための水平搬送路１Ｈとに加えて、垂直搬送路１Ｖおよび水平搬送路１Ｈに係合して垂直搬送路１Ｖを昇降させるための索状体１２ａと、索状体１２ａの長さを制御することにより垂直搬送路１Ｖを昇降させる搬送路昇降装置１２と、垂直搬送路１Ｖに搬送路部材１３ａを挿入する装置１３とを備えている。
次に、建設副産物の搬送積込み装置２５を用いて搬送路を延長する方法について説明する。
図５（ａ）に示すように、垂直搬送路１Ｖおよび水平搬送路１Ｈに係合して垂直搬送路１Ｖを昇降させるための索状体１２ａを緊張させた後、搬送路部材１３ａを挿入する上端で垂直搬送路１Ｖを切り離す。この際、切り離された垂直搬送路１Ｖが落下しないようにするため、索状体１２ａを緊張する必要がある。次に、図５（ｂ）に示すように、搬送路部材１３ａが挿入できるように、搬送路昇降装置１２を介して索状体１２ａを緩め、切り離された垂直搬送路１Ｖ間に空間を確保する。その後、図５（ｃ）に示すように、搬送路部材１３ａを挿入する装置１３をスライドさせて、切り離された垂直搬送路１Ｖ間の空間に搬送路部材１３ａを挿入する。最後に、図５（ｄ）に示すように、切り離された垂直搬送路１Ｖと搬送路部材１３ａとが接合できる位置まで、搬送路昇降装置１２を介して、切り離された垂直搬送路１Ｖを上昇させた後、切り離された垂直搬送路１Ｖと搬送路部材１３ａとを接合する。
建設副産物の搬送積込み装置２５は、現場の状況に合わせて垂直搬送路１Ｖを延長することができるため、本発明に係る建設副産物の搬送積込み方法および搬送積込み装置の適用範囲を拡大することができる。
なお、本実施形態においては、往復式の搬送路１の延長方法について示したが、無端状の循環搬送路５の場合にも、上記と同様の手順により搬送路を延長することができる。
【００１３】
図６は、搬送路の延長が可能な建設副産物の搬送積込み装置を用いて搬送路を延長する第二の方法を示すものであり、地下階において搬送路部材を挿入するものである。本発明に係る建設副産物の搬送積込み装置２６は、底部に開閉扉を有する箱体２と、箱体２を搬送するための垂直搬送路１Ｖと、箱体２を搬送するための水平搬送路１Ｈとに加えて、垂直搬送路１Ｖの基礎部に設けられた伸縮可能な台１４と、垂直搬送路１Ｖに挿入する搬送路部材１３ａとを備えている。
次に、建設副産物の搬送積込み装置２６を用いて搬送路を延長する方法について説明する。
図６（ａ）は、建設副産物の搬送積込み装置２６の初期状態を示したものである。建設副産物の搬送積込み装置２６は、水平搬送路１Ｈを支持している支柱によって地上階に固定されているが、当該支柱は図中省略している。また、垂直搬送路１Ｖの基礎部に設けられた伸縮可能な台１４の下部周辺は、既に掘削作業が完了した状態にある。
先ず、図６（ｂ）に示すように、垂直搬送路１Ｖの基礎部に設けられた伸縮可能な台１４を伸ばし、台１４を地下階に着床させる。次に、図６（ｃ）に示すように、台１４を垂直搬送路１Ｖから切り離した後、台１４を下降させ、台１４と垂直搬送路１Ｖとの間に搬送路部材１３ａを挿入するための空間を確保する。その後、垂直搬送路１Ｖに持着されている搬送路部材１３ａを移動し、切り離された垂直搬送路１Ｖと台１４との間に挿入する。最後に、図６（ｄ）に示すように、垂直搬送路１Ｖと搬送路部材１３ａと台１４とを接合する。
なお、本実施形態においても、往復式の搬送路１の延長方法について示したが、循環搬送路５の場合にも、上記と同様の手順により搬送路を延長することができる。
【００１４】
【発明の効果】
以上説明したように、本発明に係る建設副産物の搬送積込み方法および搬送積込み装置によれば、作業空間が制限された場合における建設副産物の搬送積込み作業を、低コストで、且つ、効率良く行うことができる。
【図面の簡単な説明】
【図１】第一の実施形態による建設副産物の搬送積込み方法である。
【図２】第二の実施形態による建設副産物の搬送積込み方法である。
【図３】第三の実施形態による建設副産物の搬送積込み方法である。
【図４】積込み装置である。
【図５】搬送路の延長が可能な建設副産物の搬送積込み装置を用いて搬送路を延長する第一の方法である。
【図６】搬送路の延長が可能な建設副産物の搬送積込み装置を用いて搬送路を延長する第二の方法である。
【符号の説明】
１……搬送路
１Ｖ……垂直搬送路
１Ｈ……水平搬送路
１ａ……第一搬送路
１ｂ……第二搬送路
２……底部に開閉扉を有する箱体
２ａ……底部に開閉扉を有する第一箱体
２ｂ……底部に開閉扉を有する第二箱体
３……バックホー
４……ダンプカー
５……循環搬送路
６……積込み装置
７……コンベア
８……立ち上がり部
９……建設副産物
１０……前後に移動可能な台
１１……自走式台車
１２……搬送路昇降装置
１２ａ……索状体
１３……搬送路部材を挿入する装置
１３ａ……搬送路部材
【図１】
2004331373.tif 000003
【図２】
2004331373.tif 000004
【図３】
2004331373.tif 000005
【図４】
2004331373.tif 000006
【図５】
2004331373.tif 000007
【図６】
2004331373.tif 000008